(57)【要約】【課題】ＬＥＤの発光による釣り用発光おもりにより、集魚効果を発揮させ釣果を上げることを可能とする。【解決手段】上蓋おもり部、ＬＥＤ拡散合成樹脂製本体部、および下蓋おもり部からなり、上蓋おもり部はステンレスからなり、その上部に道糸取り付け穴を形成した道糸フックを設け、ＬＥＤ拡散合成樹脂製本体部はＬＥＤ拡散用の透明合成樹脂からなり、その内部に発光ＬＥＤ基板を設け、基板の上部には、複数個の発光ＬＥＤ、電極ソケット端子を設け、基板の下部には円筒形の電極支柱を設け、電極支柱の外側下部に電極を設け、上蓋おもり部とＬＥＤ拡散合成樹脂製本体部とはＯリングを介して系合し、下蓋おもり部はステンレスからなり、その上部に円形の凹部を形成し、円柱形のバッテリーを下蓋おもり部の凹部に収納し、バッテリー上部を電極支柱に下方から挿入し、ＬＥＤ拡散合成樹脂製本体部と下蓋おもり部とはＯリングを介して系合することを特徴とする。【選択図】図１
2011160741.tif 000002
【特許請求の範囲】
【請求項１】
上蓋おもり部、ＬＥＤ拡散合成樹脂製本体部、および下蓋おもり部からなる上下３段構造に構成された釣り用発光おもりであって、
上蓋おもり部は、ステンレスからなり、その上部に道糸取り付け穴を形成した道糸フックを設け、
ＬＥＤ拡散合成樹脂製本体部は、ＬＥＤ拡散用の透明合成樹脂からなり、その内部に発光ＬＥＤ基板を設け、基板の上部には、複数個の発光ＬＥＤ、電極ソケット端子を設け、基板の下部には円筒形の電極支柱を設け、電極支柱の外側下部に電極を設け、上蓋おもり部とＬＥＤ拡散合成樹脂製本体部とはＯリングを介して系合し、
下蓋おもり部は、ステンレスからなり、その上部中心から下方向に円形の凹部を形成し、
円柱形のバッテリーを下蓋おもり部の凹部に収納し、バッテリー上部をＬＥＤ拡散合成樹脂製本体部の電極支柱に下方から挿入し、ＬＥＤ拡散合成樹脂製本体部と下蓋おもり部とはＯリングを介して系合することを特徴とする釣り用発光おもり。
【請求項２】
請求項１記載のＬＥＤ拡散用合成樹脂製本体部の発光ＬＥＤ基板には、トランジスタからなる発光ＬＥＤの点滅回路を設けたことを特徴とする釣り用発光おもり。
【請求項３】
請求項１記載のＬＥＤ拡散用合成樹脂製本体部の発光ＬＥＤ基板には、赤外線受光部、および外部からの赤外線により発光ＬＥＤの制御を行う遠隔制御回路を設けたことを特徴とする釣り用発光おもり。
【請求項４】
請求項１から請求項３記載の下蓋おもり部は、（１）ＬＥＤ拡散用合成樹脂製本体部の太さと同じ太さで下方に伸び、下部が丸めてある形状のもの、（２）ＬＥＤ拡散用合成樹脂製本体部の太さから肩部を形成して太くなりその太さで平行に下方に伸び、下部が丸めてある形状のもの、（３）ＬＥＤ拡散用合成樹脂製本体部の太さから末広がりに太くなって行き、下部が丸めてある形状のものであり、それらの形状により、釣り用発光おもりの重量を変えた複数の下蓋おもり部から選択できることを特徴とする釣り用発光おもり。
【発明の詳細な説明】
【技術分野】
【０００１】
本発明は、釣り用発光おもりに関するものである。
【背景技術】
【０００２】
釣り用おもりは、一般的に釣針に餌をつけた仕掛けを海中に沈めるために必要なものであって、その形状は、ナス型・小田原型・タイコ型・舵付き型・胴突き型・中オモリ型・ビシカゴ型などの様々なのものが使用されている。
これらの釣り用おもりは、いずれも鉛製である。
上記した従来の釣り用おもりの形状を図１４に示す。
【０００３】
また、近年多くの釣り用おもりに使用されている鉛が、人体や環境に悪影響を与えていることが危惧されているが、いまだにほとんどの釣り用おもりは鉛でできている。
なお、鉛でなく水に溶け難い材料（金属、合金）を使用したおもりも提案されている（特許文献１）。
【０００４】
近年、発光体を組み込んだ釣り用おもりも提案されている。
これは、合成樹脂製と鉛製からなる容器の内部に発光体として発光ダイオードを組み込んだ釣り用おもりである（特許文献２）。
【０００５】
さらに、前記釣り用おもりを改良するものとして、合成樹脂製と鉛製の組合せからなるおもりの内部に発光体と電池を組込み、おもりの外面にスイッチ回路としての金属製の外部端子を設けた発光体つき釣り用おもりも提案されている（特許文献３）。
この例も、発光体として発光ダイオードを使用している。また、この例は、発光体を点灯するのにトランジスタ回路を使用する例も示されている。
【先行技術文献】
【特許文献】
【０００６】
【特許文献１】特開平１１−２２５６３９号公報
【特許文献２】実開昭６３−０９２５６９号公報
【特許文献３】実開平０４−００６６７１号公報
【発明の概要】
【発明が解決しようとする課題】
【０００７】
解決しようとする問題点は、以下のとおりである。
（１）釣り用おもりの鉛が、人体や環境に悪影響を与えている。
（２）餌を海中に沈めたとき、近くにいる魚に餌は認識されても、ある程度離れたところにいる魚には見えないので、釣果が限られてしまう。
（３）また、底荒れ等により水中が濁っている時などは釣果が悪く、餌を見つけにくいことが理由と考えられている。
（４）また、釣り用おもりは、常に根掛かりにより海中に紛失する事態が発生しうるものであり、川水・海水の汚染、またその魚を食す人体にも少なからず悪影響を及ぼし、業界においては将来に向けてのテーマのひとつとされている。
【課題を解決するための手段】
【０００８】
本発明は、釣り用発光おもりをステンレスの金属材と合成樹脂から構成し、環境にも配慮しつつ、集魚効果を併せ持つ釣り用発光おもりにすることを最も主要な特徴とする。
また、釣り用発光おもり自体に電気的発光機能を組み込んだことにより、海中での集魚効果を利用し、釣果を上げることと共に、紛失したとしても有害な物質が解け出さない材質を使用することにより目的が達成される。
【発明の効果】
【０００９】
本発明の釣り用発光おもりは、以下のとおりの効果を奏する。
（１）おもりに鉛を使用していないので、人体や環境に悪影響を与えることがない。
（２）餌を海中に沈めたとき、近くにいる魚だけでなく、ある程度離れたところにいる魚にも見えるので、集魚効果が上がり、釣果を上げることができる。
（３）底荒れ等により水中が濁っている時でも、餌を見つけ易いので、釣果を上げることができる。
（４）おもりの形状により、根掛かりし難い。また、根掛かりしたとしても、有害な物質が解け出さない材質にしたので、川水・海水の汚染を防ぐことができる。
【図面の簡単な説明】
【００１０】
【図１】図１は釣り用発光おもりの部分断面と全体形状の側面図である。（実施例１）
【図２】図２は釣り用発光おもりの分解斜視図である。（実施例１）
【図３】図３は本発明の側面発光ＬＥＤの拡散発光の説明図である。（実施例１）
【図４】図４は発光ＬＥＤ基板とバッテリー組み立て部の分解斜視図である。（実施例１）
【図５】図５は本発明のパッキンの部分拡大説明図である。（実施例１）
【図６】図６は本発明の釣り用発光おもりの組立図である。（実施例１）
【図７】図７は本発明のＬＥＤ基板と発光ＬＥＤの点滅回路図である。（実施例２）
【図８】図８は赤外線受光部を搭載した発光ＬＥＤ基板を示す図である。（実施例３）
【図９】図９は赤外線により遠隔制御を行う回路図である。（実施例３）
【図１０】図１０はＬＥＤ基板に実装される回路の説明図である。（実施例３）
【図１１】図１１は外部から赤外線による書込み制御方法を示す説明図である。実施例３）
【図１２】図１２はＰＣによるＬＥＤ基板回路の書き込み画面の説明図である。（実施例３）
【図１３】図１３は下蓋おもり部の付替え用おもりの説明図である。（実施例４）
【図１４】図１４は従来の各種オモリを参考例として示す説明図である。
【発明を実施するための形態】
【００１１】
本発明は、ＬＥＤの発光による釣り用発光おもりであり、上蓋おもり部、ＬＥＤ拡散合成樹脂製本体部、および下蓋おもり部からなる上下３段構造にすることにより実現した。
以下、本発明の実施の形態を図面を参照して具体的に説明する。
【実施例１】
【００１２】
図１は、本発明の釣り用発光おもりの１実施例の部分断面と全体形状の側面図であり、１は上蓋おもり部、２はＬＥＤ拡散合成樹脂製本体部、３は下蓋おもり部である。
上蓋おもり部１は、その上部中央に道糸取り付け穴４を設けた道糸フック５を設け、下部にはＬＥＤ拡散合成樹脂製本体部２の上部とＯリング６を介して結合するための凸溝が形成されている。
この上蓋おもり部１は、道糸と連結する部分であるため、一体的に加工されたステンレスで出来ており、強固なために、根掛かり等で容易に破損・紛失しにくい構造となっている。
【００１３】
ＬＥＤ拡散合成樹脂製本体部２は、筒状の透明合成樹脂で出来ており、上部の内側には上蓋おもり部１下部の凸溝と継合する凹溝が形成され、下部の内側には下蓋おもり部３と継合する凹溝が形成されている。
ＬＥＤ拡散合成樹脂製本体部２の外側の表面には、摺り７を入れ、また、内側の表面には細かな溝８を入れることにより、光の拡散性に優れ、ＬＥＤ拡散用合成樹脂製本体部２の全体が発光するような仕組みにしている。
【００１４】
ＬＥＤ拡散合成樹脂製本体部２の内部には、発光ＬＥＤ基板９が設置されている。
発光ＬＥＤ基板９には、その上面には、複数個の発光ＬＥＤ１０、電極ソケット端子１１を設け、基板９の下面には、円筒形の電極支柱１２を設け、電極支柱の外側下部に電極１３を設けている。
【００１５】
この例においては、発光ＬＥＤ１０は、４個を外側に向けて配置している。これにより、ＬＥＤチップは指向性が高いために、３６０度の角度から効率よく視認できる。
なお、発光ＬＥＤ１０の発光色は、イエロー、オレンジ、グリーン、レッドの色から選択することができる。
【００１６】
上蓋おもり部１とＬＥＤ拡散合成樹脂製本体部２とは、Ｏリング６を介して水密に系合する。Ｏリング６は、丸いゴムパッキンである。
ＬＥＤ拡散合成樹脂製本体部２と上蓋おもり部１とのねじ込む合わせ目部分に、丸いゴムパッキンの逃げ溝を配しているため、上蓋おもり部１とＬＥＤ拡散合成樹脂製本体部２に、ねじ込んでいくことにより、丸いゴムパッキンが内部に納まり、緊密性が増して防水性を上げ、適度につぶれて内部に収まり、外からは見えなくなり、上蓋おもり部１とＬＥＤ拡散合成樹脂製本体部２が密着した時点で完全に防水機能を果たす構造になっている。
【００１７】
下蓋おもり部３は、ステンレスで成形し、その上部中心から下方向に円形の凹部を形成し、バッテリー１４の収納部１５とし、その上部にはＬＥＤ拡散合成樹脂製本体部２の下部とＯリング６を介して結合するための凸溝を形成する。
実施例１における下蓋おもり部３の形状は、ＬＥＤ拡散用合成樹脂製本体部２の太さからなだらかな肩部を形成して太くなり、その太さで下方に伸び、下部が丸めてあるものである。
【００１８】
本発明の釣り用発光おもりの組立は、前記したように、ＬＥＤ拡散合成樹脂製本体部２の上部に、上蓋おもり部１をＯリング６を介して水密に系合しておく。
次いで、下蓋おもり部の収納部１５部に円柱形のバッテリー１４を収納し、バッテリー１４上部をＬＥＤ拡散合成樹脂製本体部２の電極支柱１２に下方から挿入して、バッテリー１４のマイナス側端子を固定する電極ソケット端子１１にさし、ＬＥＤ拡散合成樹脂製本体部２と下蓋おもり部３とはＯリング６を介して水密に系合する。
【００１９】
バッテリー１４は、釣り用電気ウキ用に市販されているリチウムバッテリーを使用しているので、容易に購入が可能である。
そして、バッテリー１４の抜き差しにより、容易に電源のＯＮ・ＯＦＦが出来る。
【００２０】
本発明に係る釣り用発光おもりの各部材からなる分解斜視図を図２に示す。
また、本発明の側面発光ＬＥＤの拡散発光の説明図を図３に示す。
発光ＬＥＤ基板９とバッテリー１４との組立ての分解斜視図を図４に示す。
本発明に係るＯリング６のゴムパッキンの部分拡大説明図を図５に示す。
本発明に係る釣り用発光おもりの組立図を図６に示す。
【実施例２】
【００２１】
実施例２は、実施例１の釣り用発光おもりの発光ＬＥＤ基板９に、トランジスタからなる発光ＬＥＤ１０の点滅回路を設けた例である。
次にトランジスタからなる点滅回路の動作について説明する。
前記点滅回路は、２個のトランジスタ（Ｑ１・Ｑ２）による無安定マルチバイブレータであり、Ｃ２・Ｒ４とＣ１・Ｒ５の定数により決定する時定数で、各発光ＬＥＤ１０のＬＥＤ１・ＬＥＤ２・ＬＥＤ３・ＬＥＤ４が同時点滅する。
各発光ＬＥＤ１０のＬＥＤ１・ＬＥＤ２・ＬＥＤ３・ＬＥＤ４は、４方向に配置しているため、全方向での点滅動作ができる。
発光ＬＥＤ基板９と発光ＬＥＤ１０との配置、および点滅回路を図７に示す。
【実施例３】
【００２２】
実施例３は、実施例１の釣り用発光おもりの発光ＬＥＤ基板９に赤外線受光部１６と、外部からの赤外線により発光ＬＥＤ１０の制御を行う遠隔制御回路とを設けた例である。
赤外線受光部１６を搭載した発光ＬＥＤ基板９を図８に示す。
図８は、外部から赤外線により、発光ＬＥＤ１０の発光モードを変更するための、基板の構成を示す。
この例においては、発光ＬＥＤ１０を発光ＬＥＤ基板９の上面に配置し、赤外線受光部１６を発光ＬＥＤ基板９の下面に配置し、相互の影響を取り除いている。
【００２３】
次に、赤外線により遠隔制御を行う回路を図９に示す。
図９は、発光ＬＥＤ１０の発光モード切替を、外部の赤外線により遠隔制御を行う回路の例である。
ＩＣ１は、メモリー内臓のＣＰＵで、赤外線受光部１６の赤外線受光素子ＩＣ３からのコマンドにより、あらかじめセットした点灯モードを選択できる。
各発光ＬＥＤ１０のＬＥＤ１・ＬＥＤ２・ＬＥＤ３・ＬＥＤ４は、そろぞれ専用のポートに接続しているため各発光ＬＥＤ１０の個別点灯・順次点灯・ゆらぎ点灯等の制御が自由に行える構成としている。
また、赤外線受光部１６の赤外線受光素子ＩＣ３の赤外線入力がない時は、ＣＰＵ・ ＩＣ１は、通常のＬＥＤ発光モードで動作する。
さらに、発光ＬＥＤ基板９に実装される回路の説明図を図１０に示す。
図１０は、発光ＬＥＤ１０のモード切替を、外部の赤外線により行うブロック図である。
ＣＰＵ・ＩＣ１は、内部メモリーを持っており、４個のＬＥＤポートを自由に設定可能である。外部ＩＯにＩＲインターフェイスを接続して、ＣＰＵの点灯モードを選択可能としている。
【００２４】
また、外部から赤外線による書込み制御方法を示す説明図を図１１に示す。
図１１は、外部赤外線制御部のブロックである。
赤外線発光素子は、ドライブ回路、ＩＲ部に接続され、ＰＣインターフェイス部を経由して制御用ＰＣに接続されている。
さらに、ＰＣによるＬＥＤ基板回路の書き込み画面の説明図を図１２に示す。
図１２は、ＰＣによる書込み画面の一例で、点灯モード切替・全点滅・ゆらぎ点灯を選択し点灯状態を指定することにより、インターフェイス部、ＩＲ部、赤外線発光素子を通しておもり本体の赤外線受光部１６の赤外線受光素子により、本体内部ＣＰＵの発光モードを切替するものである。
発光モード切替後は、発光ＬＥＤ１０が点滅を開始する。
【実施例４】
【００２５】
実施例４は、実施例１から実施例３の下蓋おもり部３において、その形状を変形する例であり、その形状により、おもりの重量を変えた複数の下蓋おもり部３から選択できるようにしたものである。
具体的には、以下の形状からなる。
（１）ＬＥＤ拡散用合成樹脂製本体部２の太さとと同じ太さで下方に伸び、下部が丸めてある形状のもの、
（２）ＬＥＤ拡散用合成樹脂製本体部の太さから肩部を形成して太くなりその太さで平行に下方に伸び、下部が丸めてある形状のもの、
（３）ＬＥＤ拡散用合成樹脂製本体部の太さから末広がりに太くなって行き、下部が丸めてある形状のもの。
下蓋おもり部３の形状を変形した各種の付替え用おもりの説明図を図１４に示す。
これらの各種の付替え用おもりによって、釣り場の環境の違いで、水深や潮流が異なっても下蓋おもり部３を交換することで、状況に合わせたおもりの号数（重さ）の選択が可能になる。
【産業上の利用可能性】
【００２６】
以上により本発明の特徴を説明してきたが、さらに、ＬＥＤ拡散合成樹脂製本体部２の透明合成樹脂の表面を顔料系塗料で着色することができる。後から着色した方が、着色合成樹脂を使用するよりも光の透過性が高くなるためである。
この表面着色により、（１）光の拡散性がより高まる、（２）着色の色を発光ＬＥＤの色と同じにしておけば、釣り用発光おもりの識別が容易になる。
【符号の説明】
【００２７】
１      上蓋おもり部
２      ＬＥＤ拡散合成樹脂製本体部
３      下蓋おもり部
４      道糸取り付け穴
５      道糸フック
６      Ｏリング
７      擦り
８      溝
９      発光ＬＥＤ基板
１０    発光ＬＥＤ
１１    電極ソケット端子
１２    電極支柱
１３    電極
１４    バッテリー
１５    バッテリー収納部
１６    赤外線受光部
【図１】
2011160741.tif 000003
【図２】
2011160741.tif 000004
【図３】
2011160741.tif 000005
【図４】
2011160741.tif 000006
【図５】
2011160741.tif 000007
【図６】
2011160741.tif 000008
【図７】
2011160741.tif 000009
【図８】
2011160741.tif 000010
【図９】
2011160741.tif 000011
【図１０】
2011160741.tif 000012
【図１１】
2011160741.tif 000013
【図１３】
2011160741.tif 000014
【図１４】
2011160741.tif 000015
【図１２】
2011160741.tif 000016